【手続補正書】
【提出日】平成16年1月7日(2004.1.7)
【手続補正１】
【補正対象書類名】明細書
【補正対象項目名】特許請求の範囲
【補正方法】変更
【補正の内容】
【特許請求の範囲】
【請求項１】
光量を変化させることにより表示画像の調整を行う画像表示装置であって、
表示画像の複数の基本色の画像信号を伸長する伸長手段と、
前記伸長手段によって伸長された画像信号を彩度と明度を含む色情報に変換する画像信号変換手段と、
前記色情報の彩度の補正を行う補正手段と、
前記補正手段によって補正された彩度を含む色情報を複数の基本色の画像信号に変換する色情報変換手段と、
を備えたことを特徴とする画像表示装置。
【請求項２】
光量を変化させることにより表示画像の調整を行う画像表示装置であって、
表示画像の複数の基本色の画像信号を、彩度と明度を含む色情報に変換する画像信号変換手段と、
前記色情報の彩度の補正を行う補正手段と、
前記画像信号変換手段による変換後の色情報の明度を伸長する伸長手段と、
前記伸長手段によって伸長された明度および前記補正された彩度を含む色情報
を複数の基本色の画像信号に変換する色情報変換手段と、
を備えたことを特徴とする画像表示装置。
【請求項３】
光量を変化させることにより表示画像の調整を行う画像表示装置であって、
表示画像の複数の基本色の画像信号に対して、オフセット値に基づくオフセット処理を行うオフセット処理手段と、
前記オフセット処理手段によるオフセット処理後の画像信号を伸長する伸長手段と、
前記伸長手段によって伸長された画像信号を彩度と明度を含む色情報に変換する画像信号変換手段と、
前記色情報の彩度の補正を行う補正手段と、
前記補正手段によって補正された彩度を含む色情報を複数の基本色の画像信号に変換する色情報変換手段と、
を備えたことを特徴とする画像表示装置。
【請求項４】
光量を変化させることにより表示画像の調整を行う画像表示装置であって、
表示画像の複数の基本色の画像信号を、彩度と明度を含む色情報に変換する画像信号変換手段と、
前記色情報の彩度の補正を行う補正手段と、
前記画像信号変換手段による変換後の色情報の明度に対して、オフセット値に基づくオフセット処理を行うオフセット処理手段と、
前記オフセット処理手段によるオフセット処理後の色情報の明度を伸長する伸長手段と、
前記伸長手段によって伸長された明度および前記補正手段によって補正された彩度を含む色情報を複数の基本色の画像信号に変換する色情報変換手段と、
を備えたことを特徴とする画像表示装置。
【請求項５】
光量を変化させることにより表示画像の調整を行う画像表示装置であって、
表示画像の複数の基本色の画像信号それぞれに対して、所定の計算式に基づいて、画像信号の伸長および彩度の補正を行う補正手段を備えることを特徴とする画像表示装置。
【請求項６】
光量を変化させることにより表示画像の調整を行う画像表示装置であって、
表示画像の複数の基本色の画像信号それぞれに対して、所定の変換テーブルに基づいて、伸長を行う変換手段と、
前記変換手段によって変換された各色の画像信号の彩度の補正を行う補正手段と、
を備えたことを特徴とする画像表示装置。
【請求項７】
前記変換手段は、前記所定の変換テーブルに基づいて、前記表示画像の複数の基本色の画像信号それぞれに対してオフセット処理も行うことを特徴とする請求項６記載の画像表示装置。
【請求項８】
光抜け量を検出する検出手段をさらに備え、
前記補正手段は、前記光抜け量に基づいた補正を行うことを特徴とする請求項１ないし請求項７のうちいずれか１項に記載の画像表示装置。
【請求項９】
前記伸長手段は、所定の伸長係数に基づいて伸長を行うものであって、
前記オフセット値、前記伸長係数のうち少なくとも１つと、前記光抜け量とに基づいて、前記彩度を予測する予測手段をさらに備え、
前記補正手段は、前記予測手段によって予測された彩度に基づいて、補正を行うことを特徴とする請求項８記載の画像表示装置。
【請求項１０】
前記予測手段によって予測された複数の彩度のいずれかを選択する選択手段をさらに備え、
前記補正手段は、前記選択手段によって選択された彩度に基づいて補正を行うことを特徴とする請求項９記載の画像表示装置。
【請求項１１】
光量を変化させることにより表示画像の調整を行う画像表示方法であって、
表示画像の複数の基本色の画像信号を伸長する第１のステップと、
前記第１のステップによって伸長された画像信号を彩度と明度を含む色情報に
変換する第２のステップと、
前記色情報の彩度の補正を行う第３のステップと、
前記第３のステップによって補正された彩度を含む色情報を複数の基本色の画
像信号に変換する第４のステップと、
を備えたことを特徴とする画像表示方法。
【請求項１２】
光量を変化させることにより表示画像の調整を行う画像表示方法であって、
表示画像の複数の基本色の画像信号を、彩度と明度を含む色情報に変換する第１のステップと、
前記色情報の彩度の補正を行う第２のステップと、
前記第１のステップによる変換後の色情報の明度を伸長する第３のステップと、
前記第３のステップによって伸長された明度および前記補正された彩度を含む色情報を複数の基本色の画像信号に変換する第４のステップと、
を備えたことを特徴とする画像表示方法。
【請求項１３】
光量を変化させることにより表示画像の調整を行う画像表
示方法であって、
表示画像の複数の基本色の画像信号に対して、オフセット値に基づくオフセット処理を行う第１のステップと、
前記第１のステップによるオフセット処理後の画像信号を伸長する第２のステップと、
前記第２のステップによって伸長された画像信号を彩度と明度を含む色情報に変換する第３のステップと、
前記色情報の彩度の補正を行う第４のステップと、
前記第４のステップによって補正された彩度を含む色情報を複数の基本色の画像信号に変換する第５のステップと、
を備えたことを特徴とする画像表示方法。
【請求項１４】
光量を変化させることにより表示画像の調整を行う画像表示方法であって、
表示画像の複数の基本色の画像信号を、彩度と明度を含む色情報に変換する第１のステップと、
前記色情報の彩度の補正を行う第２のステップと、
前記第１のステップによる変換後の色情報の明度に対して、オフセット値に基づくオフセット処理を行う第３のステップと、
前記第３のステップによるオフセット処理後の色情報の明度を伸長する第４のステップと、
前記第４のステップによって伸長された明度および前記第２のステップによって補正された彩度を含む色情報を複数の基本色の画像信号に変換する第５のステップと、
を備えたことを特徴とする画像表示方法。
【請求項１５】
光量を変化させることにより表示画像の調整を行う画像表示方法であって、
表示画像の複数の基本色の画像信号それぞれに対して、所定の計算式に基づいて、画像信号の伸長および彩度の補正を行うことを特徴とする画像表示方法。
【請求項１６】
光量を変化させることにより表示画像の調整を行う画像表示方法であって、
表示画像の複数の基本色の画像信号それぞれに対して、所定の変換テーブルに基づいて、伸長を行う第１のステップと、
前記第１のステップによって変換された各色の画像信号の彩度の補正を行う第２のステップと、
を備えたことを特徴とする画像表示方法。
【請求項１７】
光量を変化させることにより表示画像の調整を行うための画像表示プログラムを記録したコンピュータ読み取り可能な記録媒体であって、
表示画像の複数の基本色の画像信号を伸長する伸長機能と、
前記伸長機能によって伸長された画像信号を彩度と明度を含む色情報に変換する画像信号変換機能と、
前記色情報の彩度の補正を行う補正機能と、
前記補正機能によって補正された彩度を含む色情報を複数の基本色の画像信号に変換する色情報変換機能と、
をコンピュータに実行させることを特徴とする画像表示プログラムを記録したコンピュータ読み取り可能な記録媒体。
【請求項１８】
光量を変化させることにより表示画像の調整を行うための画像表示プログラムを記録したコンピュータ読み取り可能な記録媒体であって、
表示画像の複数の基本色の画像信号を、彩度と明度を含む色情報に変換する画像信号変換機能と、
前記色情報の彩度の補正を行う補正機能と、
前記画像信号変換機能による変換後の色情報の明度を伸長する伸長機能と、
前記伸長機能によって伸長された明度および前記補正された彩度を含む色情報を複数の基本色の画像信号に変換する色情報変換機能と、
をコンピュータに実行させることを特徴とする画像表示プログラムを記録したコンピュータ読み取り可能な記録媒体。
【請求項１９】
光量を変化させることにより表示画像の調整を行うための画像表示プログラムを記録したコンピュータ読み取り可能な記録媒体であって、
表示画像の複数の基本色の画像信号に対して、オフセット値に基づくオフセット処理を行うオフセット処理機能と、
前記オフセット処理機能によるオフセット処理後の画像信号を伸長する伸長機能と、
前記伸長機能によって伸長された画像信号を彩度と明度を含む色情報に変換する画像信号変換機能と、
前記色情報の彩度の補正を行う補正機能と、
前記補正機能によって補正された彩度を含む色情報を複数の基本色の画像信号に変換する色情報変換機能と、
をコンピュータに実行させることを特徴とする画像表示プログラムを記録したコンピュータ読み取り可能な記録媒体。
【請求項２０】
光量を変化させることにより表示画像の調整を行うための画像表示プログラムを記録したコンピュータ読み取り可能な記録媒体であって、
表示画像の複数の基本色の画像信号を、彩度と明度を含む色情報に変換する画像信号変換機能と、
前記色情報の彩度の補正を行う補正機能と、
前記画像信号変換機能による変換後の色情報の明度に対して、オフセット値に基づくオフセット処理を行うオフセット処理機能と、
前記オフセット処理機能によるオフセット処理後の色情報の明度を伸長する伸長機能と、
前記伸長機能によって伸長された明度および前記補正機能によって補正された彩度を含む色情報を複数の基本色の画像信号に変換する色情報変換機能と、
をコンピュータに実行させることを特徴とする画像表示プログラムを記録したコンピュータ読み取り可能な記録媒体。
【請求項２１】
光量を変化させることにより表示画像の調整を行うための画像表示プログラムを記録したコンピュータ読み取り可能な記録媒体であって、
表示画像の複数の基本色の画像信号それぞれに対して、所定の計算式に基づいて、画像信号の伸長および彩度の補正を行う補正機能と、
としてコンピュータを機能させることを特徴とする画像表示プログラムを記録したコンピュータ読み取り可能な記録媒体。
【請求項２２】
光量を変化させることにより表示画像の調整を行うための画像表示プログラムを記録したコンピュータ読み取り可能な記録媒体であって、
表示画像の複数の基本色の画像信号それぞれに対して、所定の変換テーブルに基づいて、伸長を行う変換機能と、
前記変換機能によって変換された各色の画像信号の彩度の補正を行う補正機能と、
としてコンピュータを機能させることを特徴とする画像表示プログラムを記録したコンピュータ読み取り可能な記録媒体。
【請求項２３】
前記画像表示装置が投射型表示装置であることを特徴とする請求項１ないし１０のうちのいずれか１項に記載の投射型表示装置。
【手続補正２】
【補正対象書類名】明細書
【補正対象項目名】００２８
【補正方法】変更
【補正の内容】
【００２８】
本発明の画像表示プログラムを記録した記録媒体は、光量を変化させることにより表示画像の調整を行うための画像表示プログラムを記録したコンピュータ読み取り可能な記録媒体であって、表示画像の複数の基本色の画像信号それぞれに対して、所定の計算式に基づいて、画像信号の彩度の補正を行う補正機能と、としてコンピュータを機能させることを特徴とする。
本発明の画像表示プログラムを記録した記録媒体は、光量を変化させることにより表示画像の調整を行うための画像表示プログラムを記録したコンピュータ読み取り可能な記録媒体であって、表示画像の複数の基本色の画像信号それぞれに対して、所定の変換テーブルに基づいて、伸長またはオフセット処理を行う変換機能と、前記変換機能によって変換された各色の画像信号の彩度の補正を行う補正機能と、としてコンピュータを機能させることを特徴とする。
本発明の投射型表示装置は、上記本発明の画像表示装置であることと特徴とする。
本発明の投射型表示装置は、上記本発明の画像表示装置であるため、入力される画像信号に応じて、複数の基本色の画像信号の比率を変化させることなく、投射する画像のダイナミックレンジを遅れなく変更することができる。